(57)【要約】【課題】作業者が容易に傾きや高さを揃えながら設置し迅速に撤去することのできる、取付部材と一体型の表示装置を提供する。【課題を解決する手段】表示装置１０は、表示情報が表示された表示対象物１を、光源側板部２Ｂと蓋側板部２Ａとにより挟み込み、表示対象物１をその裏面から照明する。光源側板部２Ｂは、導光板３と、導光板３に対峙する枠体３Ａと、導光板３の左右又は上下の縁部のうち、少なくともいずれか一方の縁部に沿って設けられる帯状の光源１３Ａ、１３Ｂと、枠体３Ａに対して進退自在に、枠体３Ａに取り付けられる一対の取付部材５とを備える。【選択図】図２
0003206471.tif 000002
【実用新案登録請求の範囲】
【請求項１】
表示情報が表示された表示対象物を、光源側板部と蓋側板部とにより挟み込み、前記表示対象物をその裏面から照明する表示装置であって、
前記光源側板部は、
導光板と、
前記導光板に対峙する枠体と、
前記導光板の左右又は上下の縁部のうち、少なくともいずれか一方の縁部に沿って設けられる帯状の光源と、
前記枠体に対して進退自在に、当該枠体に取り付けられる一対の取付部材とを備える表示装置。
【請求項２】
前記取付部材は、
前記枠体に取り付けられる取付板と、
前記取付板に対して平行に当該取付板の端部に接合される筒体と、
前記筒体に挿通されるフック部材とを備える請求項１に記載の表示装置。
【請求項３】
前記フック部材は、
前記導光板の上下方向に延在する直延部と、
前記直延部の先端から円弧状に湾曲する湾曲部と、
前記湾曲部から前記直延部に対して平行に延在する延在部とを備え、
前記筒体は、
前記直延部を当該筒体内で係止する係止手段を有する請求項２に記載の表示装置。
【請求項４】
前記直延部は、
高さ調整用の目盛りを有し、且つ、前記湾曲部の位置する反対側の先端に前記筒体の孔より大きな径のストッパを有する請求項３に記載の表示装置。
【請求項５】
前記光源がＬＥＤであり、
前記光源に接するように前記枠体に取り付けられる放熱板が設けられる請求項１〜４のいずれか１項に記載の表示装置。
【考案の詳細な説明】
【技術分野】
【０００１】
この考案は、導光板に配置した表示対象物を照明して表示する吊り下げ式の表示装置に関する。
【背景技術】
【０００２】
従来から、展示会や店舗等において、表示情報が表示されたシートを、シートの裏面から照明する表示装置が使用されている。このような表示装置は、展示会場の壁面や間仕切りの壁面にビスや留め具等で直接取り付ける方法、表示装置に取り付けられたチェーンを、壁面にビスを打った箇所や間仕切りに掛けたフックで吊り下げる方法等で設置されていた。このような表示装置として、下記特許文献１には、天井に固定されたワイヤにより、フックを介して吊り下げられる吊り下げ式の表示装置が開示されている。
【先行技術文献】
【特許文献】
【０００３】
【特許文献１】実用新案登録第３１６３１８３号
【考案の概要】
【考案が解決しようとする課題】
【０００４】
しかし、表示装置を壁面に直接止める構成やチェーンで引っ掛ける構成の表示装置は、水平に設置したり、複数の表示装置の高さを揃えて設置したりすることが困難であるという問題があった。また、このような構成の表示装置は、設置と撤去に時間がかかるという問題や、ビスやチェーン等の取付部材が無くなるという問題もあった。特許文献１のように天井に固定されたワイヤに表示装置を吊り下げる構成の表示装置は、所望の高さに吊り下げる高さを容易に変えられないという問題があった。
【０００５】
そこで、この考案は、作業者が容易に傾きや高さを揃えながら設置し迅速に撤去することのできる、取付部材と一体型の表示装置の提供を目的とする。
【課題を解決するための手段】
【０００６】
上述の課題を解決するために採った本考案の技術手段は、次の通りである。
（１）表示情報が表示された表示対象物を、光源側板部と蓋側板部とにより挟み込み、表示対象物をその裏面から照明する表示装置であって、光源側板部は、導光板と、導光板に対峙する枠体と、導光板の左右又は上下の縁部のうち、少なくともいずれか一方の縁部に沿って設けられる帯状の光源と、枠体に対して進退自在に、枠体に取り付けられる一対の取付部材とを備える表示装置。
【０００７】
（２）取付部材は、枠体に取り付けられる取付板と、取付板に対して平行に取付板の端部に接合される筒体と、筒体に挿通されるフック部材とを備える前記（１）に記載の表示装置。
【０００８】
（３）フック部材は、導光板の上下方向に延在する直延部と、直延部の先端から円弧状に湾曲する湾曲部と、湾曲部から直延部に対して平行に延在する延在部とを備え、筒体は、直延部を筒体内で係止する係止手段を有する前記（２）に記載の表示装置。
【０００９】
（４）直延部は、高さ調整用の目盛りを有し、且つ、湾曲部の位置する反対側の先端に筒体の孔より大きな径のストッパを有する前記（３）に記載の表示装置。
【００１０】
（５）光源がＬＥＤであり、光源に接するように枠体に取り付けられる放熱板が設けられる前記（１）〜（４）のいずれかに記載の表示装置。
【考案の効果】
【００１１】
この考案により、表示装置が一対の取付部材を備えるため、作業者がこの一対の取付部材を進退させることで容易に傾きや高さを揃えることができる。また、取付部材が枠体に取り付けられるため、取付部材を紛失することなく、迅速に撤去作業を行なうことができる。
【図面の簡単な説明】
【００１２】
【図１】この考案にかかる表示装置１０の、間仕切りＡへの取り付け例を示す説明図である。
【図２】表示装置１０の表面の構成例を示す平面図である。
【図３】表示装置１０の裏面の構成例を示す平面図である。
【図４】表示装置１０の構成例を示す図２のＡ−Ａ断面図である。
【図５】表示装置１０の間仕切りＢ、Ｃへの取り付け例を示す説明図である。
【図６】表示装置１０の間仕切りＤへの取り付け例を示す説明図である。
【図７】表示装置１０の変形例を示す断面図である。
【考案を実施するための形態】
【００１３】
以下、図面を参照しながら、この考案に係る実施の形態としての表示装置１０について説明する。以下で、表面とは、表示情報が表示された表示対象物の一例のシート１の、表示情報が表示される面を表す。裏面とは、シート１の、表示情報が表示された面とは反対の面を表す。すなわち、表面とは、図１の紙面右側を表し、裏面とは、紙面左側を表す。
【００１４】
図１に示すように、表示装置１０は、シート１をシート１の裏面から照明するものである。表示装置１０は、例えば、展示会場の展示ブースにおいて、シート１の表示情報が見える形で、間仕切りＡ等に吊り下げられて表示される。表示装置１０は、シート１を挟み込む板部２から構成される。板部２は、シート１の表面を覆う蓋側板部２Ａと、シート１のシート１の裏面を覆う光源側板部２Ｂとからなる。
【００１５】
シート１は、蓋側板部２Ａと光源側板部２Ｂとにより挟まれる。蓋側板部２Ａはネジ孔７Ａを有し、光源側板部２Ｂはネジ孔７Ｂを有する。ネジ孔７Ａ、７Ｂにネジ７が挿通されて、蓋側板部２Ａと光源側板部２Ｂとがネジ７で留められる。ネジ７を外すことで、蓋側板部２Ａと光源側板部２Ｂによるシート１の挟みこみが解除され、容易にシート１を出し入れすることができる。
【００１６】
図２に示すように、蓋側板部２Ａは、透明なアクリル板であり、シート１に表示された表示情報が見える形でシート１を保護する。
【００１７】
光源側板部２Ｂは、導光板３と、導光板３の左の側縁部３ａに沿って設けられる帯状の光源１３Ａと、側縁部３ａに向かい合う、右の側縁部３ｂに沿って設けられる帯状の光源１３Ｂと、導光板３に対峙する枠体３Ａとを備える。
【００１８】
導光板３は、例えば、合成樹脂製の板材であって、シート１と同じ程度の大きさであることが好ましい。導光板３は、光源１３Ａ、１３Ｂからの入射光を均一に拡散させる、図示しない溝を有する。導光板３は、光源１３Ａ、１３Ｂからの入射光を導く。光源１３Ａ、１３Ｂには、ＬＥＤが使用される。光源１３Ａ、１３Ｂには、導線１３Ｃが接続され、導線１３Ｃは、図示しない電源と接続される。
【００１９】
枠体３Ａは、アクリル板からなり、導光板３と図示しないネジで止められている。本実施の形態の枠体３Ａは、導光板３の全周囲と対峙している。図４に示すように、枠体３Ａは、蓋側板部２Ａの配される側に対する裏面側に、側縁部３ａに接する溝３ｅを有する。枠体３Ａは、蓋側板部２Ａの配される側に対する裏面側に、側縁部３ｂに接する溝３ｆを有する。図２に示すように、溝３ｅは、側縁部３ａの全長に沿って設けられ、溝３ｆは、側縁部３ｂの全長に沿って設けられる。
【００２０】
光源側板部２Ｂは、その裏面側に、側縁部３ａ、３ｂにそれぞれ沿う一対の放熱板４Ａ、４Ｂを備える。放熱板４Ａ、４Ｂは同じ部材である。放熱板４Ａは、溝３ｅを覆うようにして光源側板部２Ｂに取り付けられる。放熱板４Ｂは、溝３ｆを覆うようにして光源側板部２Ｂに取り付けられる。放熱板４Ａは、側縁部３ａの全長よりも長く設定され、放熱板４Ｂは、側縁部３ｂの全長よりも長く設定されている。放熱板４Ａ、４Ｂの素材には、例えば、アルミニウムが使用される。
【００２１】
図４に示すように、放熱板４Ａは、光源側板部２Ｂに取り付けられる表面側に、側縁部３ａの全長に沿って設けられる凸部４ａを有する。凸部４ａは、光源１３Ａと図示しない接着剤等で接着されて溝３ｅに入る。放熱板４Ａは、光源１３Ａと凸部４ａで接する構成であるため、光源１３Ａから発する熱を放熱する。放熱板４Ｂは、光源側板部２Ｂに取り付けられる表面側に、側縁部３ｂの全長に沿って設けられる凸部４ｂを有する。凸部４ｂは、光源１３Ｂと図示しない接着剤等で接着されて溝３ｆに入る。放熱板４Ｂは、光源１３Ｂと凸部４ｂで接する構成であるため、光源１３Ｂから発する熱を放熱する。光源１３Ａ、１３Ｂは、互いに導光板３に向かって光を出射するように向けられて、それぞれ溝３ｅ、３ｆに入る。
【００２２】
図３に示すように、放熱板４Ａは、光源側板部２Ｂに取り付けられるのと反対の裏面側に、複数の凸部４ｃを有する。凸部４ｃは、放熱板４Ａの全長に亘って平行に設けられる。放熱板４Ａが複数の凸部４ｃを有することにより、放熱板４Ａの表面積が大きくなるため、光源１３Ａが発する熱を効率よく放熱することができる。放熱板４Ｂは、光源側板部２Ｂに取り付けられるのと反対の裏面側に、複数の凸部４ｄを有する。凸部４ｄは、放熱板４Ｂの全長に亘って平行に設けられる。放熱板４Ｂが複数の凸部４ｄを有することにより、放熱板４Ｂの表面積が大きくなるため、光源１３Ｂが発する熱を効率よく放熱することができる。
【００２３】
光源側板部２Ｂは、その裏面側に、表示装置１０を図１に示した間仕切りＡ等に吊り下げるための取付部材５を有する。取付部材５は、枠体３Ａに対して進退自在に、一対の放熱板４Ａ、４Ｂを介して枠体３Ａにネジ１５ａでそれぞれ取り付けられる。一対の取付部材５は、導光板３の幅方向の中心から左右対称に設けられている。
【００２４】
取付部材５は、板部２の表面側から見えないように放熱板４Ａ、４Ｂにネジ１５ａで取り付けられる取付板１５Ａと、取付板１５Ａに対して平行に取付板１５Ａの端部に接合される筒体１５Ｂと、枠体３Ａに対して進退自在なフック部材５０とを備える。
【００２５】
取付板１５Ａは、ステンレス製であって、放熱板４Ａ、４Ｂの上端近傍に取り付けられることが好ましい。一対の取付部材５は、それぞれ筒体１５Ｂが向かい合う方向、且つ筒体１５Ｂを貫通する孔１５ｃが板部２の上縁部２ｃ及び下縁部２ｄに向かって開口する方向に、一対の放熱板４Ａ、４Ｂに取り付けられる。筒体１５Ｂは、２つのネジ孔１５ｄを有し、各ネジ孔１５ｄには、フック部材５０を筒体１５Ｂの孔１５ｃ内に係止する係止手段としての固定ネジ１５ｂが挿通される。筒体１５Ｂには、ステンレス製の角筒が使用される。
【００２６】
フック部材５０は、ステンレスとスチールの合金からなる棒を湾曲させたものであって、導光板３の上下方向に延在して筒体１５Ｂの孔１５ｃに挿通される直延部５０ａと、直延部５０ａの上端から円弧状に湾曲する湾曲部５０ｂと、湾曲部５０ｂから直延部５０ａに対して平行に延在する延在部５０ｃとを備える。フック部材５０の全長は、板部２と等しく設定されている。
【００２７】
表示装置１０の設置高さを調整するとき、固定ネジ１５ｂを緩めて、図中の白抜き矢印方向に、フック部材５０を枠体３Ａに対して直延部５０ａに沿うように進退させる。フック部材５０が進退できる状態のとき、直延部５０ａを軸にフック部材５０を回動させることで、湾曲部５０ｂの向きを変えることもできる。フック部材５０を筒体１５Ｂ内で固定するとき、固定ネジ１５ｂを締める。
【００２８】
直延部５０ａには、高さ調整用の目盛り５０ｄが刻まれている。目盛り５０ｄは、直延部５０ａの全長に亘って均等に設けられていることが好ましい。作業者は、表示装置１０を吊り下げる高さを調節する際に、目盛り５０ｄを参照することにより、一対のフック部材５０が板部２の上縁部２ｃから突出する高さを等しくしたり変えたりすることができる。
【００２９】
直延部５０ａは、湾曲部５０ｂの位置する反対側の先端に、筒体１５Ｂの孔１５ｃより大きな径のストッパ５０ｅを有する。ストッパ５０ｅは、フック部材５０の下端が孔１５ｃから抜け外れることを防ぐ。ストッパ５０ｅは、直延部５０ａと同じ素材が接合されて形成される。
【００３０】
延在部５０ｃの先端には、表示装置１０を間仕切りＡ等に吊り下げた状態で表示装置１０が落ちないようにするストッパ５０ｆが取り付けられる。ストッパ５０ｆの素材には、摩擦係数の高い素材が使用されることが好ましく、例えばゴム材が使用される。
【００３１】
導光板３の裏面には、裏面を覆う遮光シート６が貼付される。遮光シート６は、導光板３により導かれる光を導光板３の裏面側に伝えないようにする役割を果たす。
【００３２】
続いて、図５を参照して、表示装置１０を、人Ｐの目線の高さに合わせて、高さの異なる間仕切りＢ、Ｃに取り付ける取り付け例を説明する。表示装置１０のフック部材５０の進退は、表示装置１０を間仕切りＢ、Ｃから外した状態で行われることが好ましい。
【００３３】
図５Ａに示すように、間仕切りＢの高さが低く、フック部材５０が板部２の上縁部２ｃから突出しないようにする場合、固定ネジ１５ｂを緩めて、フック部材５０を、板部２の下縁部２ｄ側に向けて動かす。フック部材５０が進退できる状態のとき、間仕切りＢに延在部５０ｃが向かうようにして、直延部５０ａを軸にフック部材５０を回動させる。固定ネジ１５ｂを締めて、フック部材５０を筒体１５Ｂ内で固定する。
【００３４】
図５Ｂに示すように、間仕切りＣの高さが高く、フック部材５０を板部２の上縁部２ｃから最も突出させる場合、固定ネジ１５ｂを緩めてフック部材５０を、板部２の上縁部２ｃ側に向けて動かす。フック部材５０が進退できる状態のとき、間仕切りＢに延在部５０ｃが向かうようにして、直延部５０ａを軸にフック部材５０を回動させる。固定ネジ１５ｂを締めて、フック部材５０を筒体１５Ｂ内で固定する。
【００３５】
なお、図６に示すように、上端の高さが水平でない間仕切りＤにおいても、間仕切りＤの上端の高さに合わせて、一対のフック部材５０を、板部２の上縁部２ｃから突出させる長さをそれぞれ変えることで、間仕切りＤに表示装置１０を吊り下げることができる。
【００３６】
本実施の形態において、一対の放熱板４Ａ、４Ｂにそれぞれ同一の部材である取付部材５を取り付け、それぞれの取付部材５が、進退自在なフック部材５０を備える構成とした。同一の部材を進退させることにより表示装置１０の高さを調節できる構成としたため、作業者は、表示装置１０の傾きや高さを容易に揃えることができる。
【００３７】
フック部材５０の直延部５０ａに目盛り５０ｄが刻まれているため、筒体１５Ｂから上方に突出させる目盛り５０ｄの位置を揃えることで、表示装置１０の傾きや高さを、更に容易に揃えることができる。複数の表示装置１０を設置する場合も、それぞれのフック部材５０で目盛り５０ｄの位置を揃えることで、複数の表示装置１０の高さを容易に揃えることができる。
【００３８】
本実施の形態において、一対の放熱板４Ａ、４Ｂと一対の取付部材５を、光源側板部２Ｂの蓋側板部２Ａの配される側に対して反対面側に設けたことにより、放熱板４Ａ、４Ｂと取付部材５の表面側から見える範囲を最小限にすることができる。なお、本実施の形態において、放熱板４Ａを側縁部３ａの全長よりも長く設定し、放熱板４Ｂを側縁部３ｂの全長よりも長く設定したが、これに限られない。放熱板４Ａの長さは、側縁部３ａの全長と等しくても、側縁部３ａの全長より短くてもよく、放熱板４Ｂの長さは、側縁部３ｂの全長と等しくても、側縁部３ｂの全長より短くてもよい。
【００３９】
本実施の形態において、一対の放熱板４Ａ、４Ｂが放熱の役割を果たすため、表示装置１０は、高輝度な光源１３Ａ、１３Ｂを搭載することができる上に、光源１３Ａ、１３Ｂの寿命を長くすることができる。なお、放熱板４Ａ、４Ｂは、省略してもよい。
【００４０】
なお、本実施の形態において、取付板１５Ａは、板部２の表面側から見えないように、放熱板４Ａ、４Ｂにネジ止めされるが、枠体３Ａにネジ止めされてもよい。フック部材５０の進退範囲をできるだけ大きくすることと、表示装置１０の収納時の省スペース化とを兼ね備えるために、フック部材５０と板部２との全長を等しいものとしたが、これに限られない。フック部材５０の全長は、板部２と等しい又は板部２よりも短いことが好ましいが、板部２よりも長くてもよい。本実施の形態において、目盛り５０ｄは、フック部材５０に等間隔で刻まれるものとしたが、これに限られない。目盛り５０ｄは、等間隔で刻まれていなくてもよく、省略してもよい。
【００４１】
本実施の形態において、放熱板４Ａが凸部４ｃを５つ有し、放熱板４Ｂが凸部４ｄを５つ有するが、これに限られず、凸部４ｃ、４ｄは、任意の数であってもよいし、省略してもよい。
【００４２】
本実施の形態において、光源１３Ａが導光板３の左の側縁部３ａに接する溝３ｅに設けられ、光源１３Ｂが導光板３の右の側縁部３ｂに接する溝３ｆに設けられるが、これに限られない。光源１３Ａ、１３Ｂのいずれか一方が設けられてもよい。光源１３Ａまたは光源１３Ｂが、導光板３の上または下の縁部に設けられてもよい。すなわち、光源１３Ａ又は光源１３Ｂが、導光板３の左右又は上下の縁部のうちいずれか一方の縁部に設けられていてもよい。また、本実施の形態において、光源１３Ａ、１３Ｂを共にＬＥＤとしたが、これに限られず、光源１３Ａ、１３Ｂには、あらゆる種類の光源を使用することができ、光源１３Ａと光源１３Ｂとが異なる部材であってもよい。また、図示しない調光器を光源１３Ａ、１３Ｂに接続すれば、光源１３Ａ、１３Ｂから発する光の明るさを調光制御することができる。
【００４３】
本実施の形態において、筒体１５Ｂには、角筒を使用したが、これに限られない。筒体１５Ｂには、例えば、円筒を使用してもよい。また、筒体１５Ｂが２つの固定ネジ１５ｂを備える構成としたが、これに限られない。筒体１５Ｂは、１以上の固定ネジ１５ｂを備えていることが好ましい。筒体１５Ｂの孔１５ｃとフック部材５０の径がほぼ同じである等のために、表示装置１０の自重ではフック部材５０が進退せず、フック部材５０に力が加わると進退する構成の場合、固定ネジ１５ｂを省略してもよい。また、係止手段は固定ネジ１５ｂに限られず、他の係止手段を使用してもよい。図７に示すように、間仕切りＡに表示装置１０を吊り下げた状態で固定ネジ１５ｂを操作できるように、筒体１５Ｂ及び筒体１５Ｂに挿通される固定ネジ１５ｂを、取付板１５Ａに対して導光板３の両外側に配置してもよい。
【００４４】
本実施の形態において、フック部材５０が湾曲部５０ｂを有するため、間仕切りＡ〜Ｄの上端が平でも、湾曲していても、その他いかなる形状であっても、表示装置１０を吊り下げることができる。なお、本実施の形態において、表示装置１０は、間仕切りＡ〜Ｄに吊り下げる例を示したが、これに限られない。例えば、表示装置１０は、壁面や天井に設置された留め具にフック部材５０を引っ掛けることで吊り下げてもよい。
【００４５】
本実施の形態において、表示装置１０は遮光シート６を備えるが、これに限られない。遮光シート６の代わりに、導光板３に加わる衝撃を和らげる図示しないクッション板を導光板３の裏面に貼ってもよいし、遮光シート６を省略してもよい。
【産業上の利用可能性】
【００４６】
この考案は、導光板の表面に配置した表示対象物をその裏面から照明して表示する表示装置に適用して極めて好適である。
【符号の説明】
【００４７】
１・・・シート（表示対象物）、２・・・板部、２Ａ・・・蓋側板部、２Ｂ・・・光源側板部、３・・・導光板、３Ａ・・・枠体、３ｅ、３ｆ・・・溝、３ａ、３ｂ・・・側縁部、４Ａ、４Ｂ・・・放熱板、６・・・遮光シート、１０・・・表示装置、１３Ａ、１３Ｂ・・・光源
【図１】
0003206471.tif 000003
【図２】
0003206471.tif 000004
【図３】
0003206471.tif 000005
【図４】
0003206471.tif 000006
【図５】
0003206471.tif 000007
【図６】
0003206471.tif 000008
【図７】
0003206471.tif 000009